(57)【要約】【課題】  脳内手術の簡易化を図る。【解決手段】  手術用脳へらを可撓性チューブ１の壁にへら２を固定したものとする。手術の際にへら２により開頭部から患部までの手術経路を確保することができ、可撓性チューブ１の孔を処置孔１ａとして手術器具の出し入れ、各種流体の供給又は排出等を行うことができる。従って、手術をより安全且つ簡易に行うことができる。【選択図】  図２
2005323793.tif 000002
【特許請求の範囲】
【請求項１】
可撓性チューブの壁にへらが固定されたことを特徴とする手術用脳へら。
【請求項２】
請求項１に記載の手術用脳へらにおいて、へらが可塑性を有することを特徴とする手術用脳へら。
【請求項３】
請求項１又は請求項２に記載の手術用脳へらにおいて、可撓性チューブが複数本の処置孔を有することを特徴とする手術用脳へら。
【発明の詳細な説明】
【技術分野】
【０００１】
本発明は、脳神経外科手術等に用いる手術用脳へらに関する。
【背景技術】
【０００２】
従来、脳神経外科手術等においては、開創した脳を手術用脳へらにより圧迫することにより、術野を確保している。
【０００３】
近年の脳神経外科手術は、患者への侵襲をできる限り低くするために、開創を小さくする低侵襲手術へと移行する傾向がある。低侵襲手術では軟性又は硬性の内視鏡を用いた神経内視鏡手術も行われており、直視下の手術に比べて開頭する創が極めて小さい。この小さい創から頭部内に脳へら、内視鏡等を挿入して手術を行っている。
【発明の開示】
【発明が解決しようとする課題】
【０００４】
頭部の小さい創を通して行う手術は、非常に慎重な操作と熟練を要する。
【０００５】
したがって、本発明は上記手術の簡易化に資する手術用脳へらを提供することを目的とする。
【課題を解決するための手段】
【０００６】
上記課題を解決するため、請求項１に係る発明は、可撓性チューブの壁にへらが固定された手術用脳へらを採用する。
【０００７】
また、請求項２に係る発明は、請求項１に記載の手術用脳へらにおいて、へらが可塑性を有する手術用脳へらを採用する。
【０００８】
また、請求項３に係る発明は、請求項１又は請求項２に記載の手術用脳へらにおいて、可撓性チューブが複数本の処置孔を有する手術用脳へらを採用する。
【発明の効果】
【０００９】
請求項１に係る発明によれば、可撓性チューブの壁にへらが固定された手術用脳へらであるから、手術の際にへらにより開頭部から患部までの手術経路を確保することができ、可撓性チューブの孔を処置孔として手術器具の出し入れ、各種流体の供給又は排出等を行うことができる。従って、手術をより安全且つ簡易に行うことができる。
【００１０】
請求項２に係る発明によれば、請求項１に記載の手術用脳へらにおいて、へらが可塑性を有することから、脳へら及びチューブを自由に曲げ、且つ曲げた後の形を保持することができる。従って、患部に対しより適正な処置を行うことができる。
【００１１】
請求項３に係る発明によれば、請求項１又は請求項２に記載の手術用脳へらにおいて、可撓性チューブが複数本の処置孔を有することから、チューブの処置孔を各種用途に使い分けることができ、例えば内視鏡、鉗子等の出し入れ、術野からの液体、けむり等の吸引排出、洗浄液の注入に使い分けることができる。従って、より効果的な手術処置が可能となる。
【発明を実施するための最良の形態】
【００１２】
以下、図面を参照して発明を実施するための最良の形態について説明する。
【００１３】
＜実施の形態１＞
図１に示すように、この手術用脳へらは、可撓性チューブ１と、へら２とを具備する。
【００１４】
可撓性チューブ１は例えばシリコンゴムで形成される。このチューブ１は不透明でもよいが望ましくは透明又は半透明に形成される。
【００１５】
へら２は、例えば細長い板として形成される。へら２は、剛性を有するものであってもよいが、望ましくは可塑性を有するものとして形成される。可塑性のへら２は母材である銅板にニッケルメッキが施されることにより形成される。この可塑性へら２は屈曲自在であり、屈曲後もその状態を保持する。
【００１６】
上記チューブ１の壁の肉厚内にはチューブ１の円筒の母線に沿って伸びるスリット３が形成され、このスリット３内にへら２が挿入されることにより、へら２がチューブ１の壁に固定されチューブ１と一体化される。へら２とチューブ１との一体化は、スリット付きチューブのスリット３にへら２を挿入することにより行うことができ、チューブ１の成形時にへら２をチューブ１の肉厚内に埋設することによっても行うことができる。また、スリット３の無いチューブの内壁面又は外壁面にへら２を接着剤、粘着テープ等により貼着することによっても行うことができる。
【００１７】
次に、上記構成の手術用脳へらの作用について説明する。
【００１８】
図２に示すように、脳神経外科手術において頭部４に小径孔４ａを穿設する。
【００１９】
手術用脳へらの挿入に先立ち、へら２の可塑性を利用してへら２を所望の形に曲げておく。チューブ１はその可撓性によりへら２に倣って湾曲し、その先端の開口６が患部に臨む。
【００２０】
開頭部である小径孔４ａから手術用脳へらを脳５の内部へと挿入し、患部までの手術経路を確保する。
【００２１】
可撓性チューブ１の孔を処置孔１ａとして、図示しない内視鏡、鉗子等の手術器具の出し入れを行い、患部を処置する。また、処置孔１ａを通して洗浄液の注入、排出、電気メス等により生じる煙の吸引等を行う。この各種処置の際、チューブ１の壁が脳の組織の露出を防止する。これにより、手術器具等を安全且つ簡易に出し入れすることができる。
【００２２】
＜実施の形態２＞
図３に示すように、この手術用脳へらにおける可撓性チューブは複数本の処置孔を有する。
【００２３】
すなわち、可撓性チューブは、太い主チューブ７と、細い付属チューブ８，９，１０とを具備し、主チューブ７の外周面に細い付属チューブ８，９，１０が付着している。各チューブ７，８，９，１０の孔は別個の処置孔７ａ，８ａ，９ａ，１０ａとして各種用途に使い分けることができ、例えば主チューブ７を内視鏡、鉗子等を出し入れ用に使用し、第一の付属チューブ８を洗浄液等の注入に使用し、第二の付属チューブ９を洗浄液等の吸引に使用し、第三の付属チューブ１０を電気メス等により生じた煙の排煙に使うことができる。
【００２４】
主チューブ７と付属チューブ８，９，１０との一体化は、主チューブ７と付属チューブ８，９，１０とを同時に押出し成形することにより行うことができ、また主チューブ７に付属チューブ８，９，１０を接着剤、粘着テープ等で貼着することによっても行うことができる。
【００２５】
なお、本発明は上記実施の形態１，２に限定されるものではなく、例えば上記実施の形態ではチューブがへらよりも短くなっているがチューブをへらの先端から突出させてもよいし、へらの後端からより長く引き伸ばすようにしてもよい。また、各種処置孔はチューブの内部を隔壁で区画することにより形成することも可能である。
【図面の簡単な説明】
【００２６】
【図１】本発明の実施の形態１に係る手術用脳へらの斜視図である。
【図２】図１に示す手術用脳へらの使用態様を示す斜視図である。
【図３】本発明の実施の形態２に係る手術用脳へらの斜視図である。
【符号の説明】
【００２７】
１…可撓性チューブ
２…へら
１ａ…処置孔
【図１】
2005323793.tif 000003
【図２】
2005323793.tif 000004
【図３】
2005323793.tif 000005